(57)【要約】【課題】屋根材を固定するための固着具が打ち込まれた部分から雨水が浸入することを抑制できる下葺材、及びこれを備えた屋根構造を提供する。【解決手段】下葺材３に、屋根材４の固着具用穴４０に対応する箇所に位置する凸部３１と、屋根材４の横方向の位置を示すマーク３２とが設けられる。【選択図】図１
2019100041.tif 000002
【特許請求の範囲】
【請求項１】
屋根材の固着具用穴に対応する箇所に位置する凸部と、
前記屋根材の横方向の位置を示すマークとが設けられた下葺材。
【請求項２】
請求項１に記載の下葺材において、
千鳥状に葺かれた複数の屋根材の下葺材であり、
前記マークは前記屋根材の横方向の端の位置に対応するように設けられた突出部分である下葺材。
【請求項３】
請求項１又は請求項２に記載の下葺材と、
前記下葺材の上に前記マークによって位置決めされて葺かれた複数の屋根材とを備えた屋根構造。
【発明の詳細な説明】
【技術分野】
【０００１】
本発明は、下葺材、及びこれを備えた屋根構造に関する。
【背景技術】
【０００２】
特許文献１には、平板屋根材が野地板の表面に軒側から棟側に向かって順に重ね葺きされた屋根構造が開示されている。この屋根構造における平板屋根材には、軒側に隣接する平板屋根材よりもわずかに棟側に位置する箇所に固定用孔が形成されている。平板屋根材を野地板に固定するための固定具は、前記固定用孔を通して野地板に打ち込まれる。
【先行技術文献】
【特許文献】
【０００３】
【特許文献１】特開２０１２−２４６６７７号公報
【発明の概要】
【発明が解決しようとする課題】
【０００４】
ところで、前述した屋根構造では、屋根材上の雨水が、当該屋根材と一段棟側の屋根材との間を逆流して裏側に流れ、この後、当該屋根材の棟側の縁部に沿って雨水が横走りし、前記固定具が打ち込まれた部分から浸入するおそれがある。
【０００５】
本発明は前記事情に鑑みてなされたものであって、屋根材を固定するための固着具が打ち込まれた部分から雨水が浸入することを抑制できる下葺材、及びこれを備えた屋根構造を提供することを目的とする。
【課題を解決するための手段】
【０００６】
前記目的を達成するために本発明に係る一態様の下葺材は、屋根材の固着具用穴に対応する箇所に位置する凸部と、前記屋根材の横方向の位置を示すマークとが設けられることを特徴とする。
【０００７】
また、本発明に係る一態様の屋根構造は、前記下葺材と、前記下葺材の上に前記マークによって位置決めされて葺かれた複数の屋根材とを備えることを特徴とする。
【発明の効果】
【０００８】
本発明に係る一態様の下葺材及び屋根構造は、屋根材を固定するための固着具が打ち込まれた部分から雨水が浸入することを抑制できる。
【図面の簡単な説明】
【０００９】
【図１】図１は、本発明に係る一実施形態の屋根構造を示す斜視図である。
【図２】図２は、図１のＡ−Ａ線断面図である。
【図３】図３Ａ及び図３Ｂは、同上の屋根構造に用いられる下葺材であり、図３Ａは平面図であり、図３Ｂは正面図である。
【発明を実施するための形態】
【００１０】
以下に示す実施形態は、屋根材の施工に用いられる下葺材、及びこれを備えた屋根構造に関する。
【００１１】
図１及び図２に、本実施形態の下葺材３を用いて屋根材４が葺かれた屋根構造１を示す。本実施形態の屋根構造１は、住宅家屋に採用されており、屋根下地２と、屋根下地２上に敷かれた複数の下葺材３と、複数の下葺材３を介して屋根下地２上に設置された複数の屋根材４とを備えている。なお、以下では、屋根の傾斜方向を軒棟方向といい、軒棟方向と直交する水平方向を横方向という。
【００１２】
屋根下地２は、例えば、垂木上に固定された野地板で構成される。屋根下地２の上面には、軒棟方向及び横方向に並んだ複数の下葺材３が、敷かれている。
【００１３】
図３Ａ及び図３Ｂに示すように、下葺材３には、屋根材４の固着具用穴４０（図１参照）に対応する凸部３１と、屋根材４の横方向の位置を示すマーク３２とが設けられている。
【００１４】
本実施形態の下葺材３は、本体部３０と、複数の凸部３１と、複数のマーク３２とを備えている。本体部３０は、屋根下地２の上面に沿うシート状に形成されており、横方向に延びた矩形状に形成されている。本体部３０は、周知のアスファルトルーフィング（アスファルトフェルト及び改質アスファルトルーフィングを含む）と同様の構成を有し、紙又は不織布等の基材と、この基材に含浸されたアスファルト（改質アスファルトを含む）とを含む。なお、上記下葺材３は、例えば、アスファルトにロール金型で凹凸を成形する、または、凹凸が形成された不織布をアスファルト上に貼り合せる、などの方法で作製される。
【００１５】
複数の凸部３１は、横方向（本体部３０の長手方向）に間隔をあけて並んでいる。凸部３１は、本体部３０と一体に形成されており、アスファルト（改質アスファルトを含む）から形成されている。
【００１６】
凸部３１は、本体部３０から上方に突出しており、軒棟方向（本体部３０の幅方向）に延びている。各凸部３１の長手方向（軒棟方向）と直交する断面形状は互いに同じであり、横方向に延びた矩形状である。
【００１７】
複数のマーク３２は、横方向に間隔をあけて並んでいる。マーク３２は、横方向において隣り合う凸部３１の間に位置している。各マーク３２は、本体部３０と一体に形成されており、アスファルト（改質アスファルトを含む）から形成されている。
【００１８】
本実施形態のマーク３２は、本体部３０から上方に突出した突出部分であり、本体部３０において屋根材４の横方向の端に対応する位置に形成されている。
【００１９】
本実施形態のマーク３２は、軒棟方向に延びた突条である。各マーク３２の長手方向（軒棟方向）と直交する断面形状は、横方向に延びた矩形状である。マーク３２の上面の高さ（本体部３０から突出したマーク３２の突出寸法）は、凸部３１の上面の高さ（本体部３０から突出した凸部３１の突出寸法）と同じ又は凸部３１の上面の高さよりも低い。
【００２０】
マーク３２の幅は、凸部３１の幅よりも小さい。このため、屋根材４を施工する作業者は、マーク３２を見ることで、マーク３２が屋根材４の横方向の端を載せる位置を示すものであることを容易に認識できる。
【００２１】
下葺材３の表面には、上方に開口した凹溝３３が、横方向に複数形成されている。下葺材３は、凸部３１と凸部３１の間に形成された第１凹溝３３１と、マーク３２と凸部３１の間に形成された第２凹溝３３２との２種類の凹溝３３を備えている。
【００２２】
第１凹溝３３１は、横方向の両側の面の各々が、凸部３１の側面で構成されており、底面が本体部３０の上面で構成されている。第２凹溝３３２は、横方向の両側の面のうちの一方の面がマーク３２の側面で構成され、他方の面が凸部３１の側面で構成されている。また、第２凹溝３３２の底面は、本体部３０の上面で構成されている。
【００２３】
本実施形態の各凸部３１及び各マーク３２は、本体部３０の棟側端部を除いた部分において軒棟方向に亘って形成されている。図１に示すように、屋根下地２上において軒棟方向に並ぶ下葺材３は、軒側の下葺材３の本体部３０の棟側端部の上に、棟側の下葺材３の本体部３０の軒側端部が重なるように敷かれる。このため、軒側の下葺材３の各凸部３１は、棟側の下葺材３の対応する凸部３１と連続し、軒側の下葺材３の各マーク３２は、棟側の下葺材３の対応するマーク３２と連続する。
【００２４】
屋根下地２上において軒棟方向に隣接した下葺材３は、軒側の下葺材３の各凹溝３３が、棟側の下葺材３の対応する凹溝３３に通じる。そして、複数の下葺材３のうち、屋根の軒側の端部に位置する下葺材３は、各凹溝３３の軒側端部が、屋根の軒側に開放される。このため、各下葺材３の凹溝３３に流れ込んだ雨水は、図１の点線の矢印に示すように凹溝３３に沿って流下した後、屋根の軒側に排出される。
【００２５】
複数の屋根材４は、複数の下葺材３の上に葺かれる。本実施形態の各屋根材４は、平板状のスレート瓦で構成された横葺き屋根材であって、セメント系成形材料を成形し、養生硬化することで製造される。
【００２６】
複数の屋根材４は、複数の下葺材３の上に千鳥状に重ね葺きされる。すなわち、複数の屋根材４は、横方向に隣接する屋根材４の突付け部分と、これら屋根材４の一段棟側に位置して横方向に隣接する屋根材４の突付け部分とが、横方向においてずれた状態で葺かれる。具体的には、一段棟側の屋根材４は、それらの突付け部分が、その軒側の屋根材４における横方向の端から、その横方向の寸法の１／２あるいは１／４の位置に合わせるように設けられている。
【００２７】
各屋根材４は、横方向に長い略矩形状に形成されている。具体的に各屋根材４は、矩形の棟側の２か所の角がカットされたような六角形の板状に形成されている。複数の屋根材４は、横方向に隣接した屋根材４の軒側の端縁同士及び棟側の端縁同士が軒棟方向において揃うように葺かれる。
【００２８】
屋根材４は、横方向の両端の各々が、下葺材３の対応するマーク３２の幅方向の中央部と重なる位置に配置された状態で、４つの凸部３１の上に載せられる。
【００２９】
屋根材４は、軒側に位置する曝露部４１と、棟側に位置する非曝露部４２とで構成されている。曝露部４１は、屋根材４において、棟側に隣接する屋根材４によって覆われず表面が露出する部分である。非曝露部４２は、屋根材４において、棟側に隣接する屋根材４で覆われて表面が露出しない部分である。
【００３０】
屋根材４の非曝露部４２には、横方向に並んだ複数の固着具用穴４０が形成されている。固着具用穴４０は、屋根材４を厚み方向に貫通している。
【００３１】
本実施形態の固着具用穴４０は、屋根材４の横方向の両側部分の各々に横方向に間隔をあけて一対ずつ形成されている。屋根材４の横方向の中心に近い位置に形成された２つの固着具用穴４０の横方向の間隔は、各対の２つの固着具用穴４０の横方向の間隔よりも長い。
【００３２】
屋根材４は、各固着具用穴４０が軒側に隣接する屋根材４の棟側端の僅かに棟側に位置するように配置される。このため、各固着具用穴４０に打ち込まれた固着具１０は、軒側の屋根材４を貫通せずに下葺材３を介して屋根下地２に打ち込まれる。
【００３３】
下葺材３のマーク３２の上面の高さが、凸部３１の上面の高さと同じである場合、屋根材３は、４つの凸部３１に加えて、３つのマーク３２の上にも載せられる。また、マーク３２の上面の高さが凸部３１の上面の高さよりも低い場合、屋根材４は４つの凸部３１にのみ載せられ、マーク３２の上には載せられない。
【００３４】
屋根材４の各固着具用穴４０は、下葺材３の対応する凸部３１と重なる位置に配置される。また、屋根材４の横方向の両端及び中央部の各々は、下葺材３の対応するマーク３２と重なる位置に配置される。
【００３５】
本実施形態では、軒棟方向に隣接する屋根材４のうちの棟側の屋根材４の横方向の端と、軒側の屋根材４の横方向の中央部とが、共通するマーク３２の上方に位置する。このため、例えば、棟側の屋根材４の横方向の端部が踏まれる等して、軒側の屋根材４の横方向の中央部に下向きの力が加わったとき、この軒側の屋根材４の横方向の中央部が、突出部分で構成されたマーク３２により支持される。
【００３６】
屋根材４の各固着具用穴４０には、釘等の固着具１０が通され、各固着具１０は、下葺材３の対応する凸部３１を貫通して屋根下地２に打ち込まれる。これにより、屋根材４は屋根下地２に固定される。屋根材４に通された固着具１０は、当該屋根材４の棟側に隣接する屋根材４によって覆われる。
【００３７】
複数の下葺材３及び複数の屋根材４は、作業者により例えば以下に示すように施工される。まず、屋根下地２に複数の下葺材３を敷く。次に最も軒側に配置される複数の屋根材４を下葺材３の上に載せる。このとき、屋根材４の横方向の端を対応するマーク３２に位置合わせることで、屋根材４を下葺材３に対して横方向の所定位置に配置する。
【００３８】
次に、上記のように下葺材３の上に載せた複数の屋根材４の各々の各固着具用穴４０に、固着具１０を挿入し、各固着具１０を下葺材３の対応する凸部３１を通して屋根下地２に打ち込む。これにより、最も軒側に配置される複数の屋根材４が、下葺材３を介して屋根下地２に固定される。
【００３９】
次に上述した複数の屋根材４の一段棟側の複数の屋根材４を下葺材３の上に施工する。このとき、各屋根材４は、軒側の部分を軒側の屋根材４の非曝露部４２の上に載せ、棟側の端部を下葺材３の上に載せる。また、このとき、屋根材４の横方向の端を対応するマーク３２に位置合わせることで、屋根材４を下葺材３に対して横方向の所定位置に配置する。
【００４０】
次に、上記のように複数の屋根材４の一段棟側に葺かれた複数の屋根材４の各々を、軒側の屋根材４と同様に、複数の固着具１０を用いて屋根下地２に固定し、以後、上記と同様の作業を軒側から棟側に向かって繰り返し行うことで、軒から棟に亘って複数の屋根材４を千鳥状に重ね葺きする。
【００４１】
本実施形態の屋根構造１では、屋根材４上の雨水が、屋根材４と当該屋根材４の一段棟側の屋根材４との間から下葺材３に流れたとしても、この雨水は下葺材３の凹溝３３に流れ込みやすい。また、このように凹溝３３に流れ込んだ雨水は、凹溝３３に沿って下葺材３上を流下した後、屋根の軒側に排出される。すなわち、この場合、下葺材３上に流れた雨水は、凸部３１が堰となり、下葺材３において固着具１０が打ち込まれた部分に至り難い。したがって、雨水が、下葺材３において固着具１０が打ち込まれた部分から、屋根下地２側に浸入し難い。
【００４２】
本実施形態の下葺材３及び屋根構造１は、適宜設計変更可能である。例えば、下葺材３の凸部３１及びマーク３２の各々は、軒棟方向に延びた形状に限られず、平面視円形状や矩形状等であってもよい。また、凸部３１の断面形状及びマーク３２の断面形状の各々も、矩形状に限られない。また、凸部３１及びマーク３２は、本体部３０とは別部材であってもよい。
【００４３】
また、マーク３２は本体部３０から突出した突出部分でなくてもよく、例えば、本体部３０の表面に設けられた刻印、印刷あるいは塗装等であってもよい。
【００４４】
また、マーク３２は、屋根材４の横方向の中間部を載せる位置を示してもよい。この場合、例えば、屋根材４には横方向の位置を特定するための表示等が設けられ、下葺材３のマーク３２は、この屋根材４の表示等に対応する位置に設けられる。
【００４５】
また、本実施形態の固着具用穴４０は、屋根材４を厚み方向に貫通した孔であるが、屋根材４の表面側に開口した非貫通の穴であってもよい。この場合、屋根材４は、固着具用穴４０に打ち込まれることで、屋根材４を貫通した固着具１０により、屋根下地２に固定される。
【００４６】
また、下葺材３はアスファルト以外の材料から形成されてもよく、例えば合成樹脂製であってもよい。
【００４７】
また、本実施形態の下葺材３は、複数の屋根材４が千鳥状に重ね葺きされた屋根構造１に用いられているが、軒棟方向に隣接する屋根材４の横方向の位置が揃うように重ね葺きされる屋根構造１に用いられてもよい。
【００４８】
また、下葺材３は、例えば、ステープル等の固着具により、屋根下地２に固定されてもよい。また、下葺材３は、屋根下地２に固定される粘着層を有してもよい。
【００４９】
以上説明した本実施形態の下葺材３は、以下に示す特徴を有する。下葺材３に、屋根材４の固着具用穴４０に対応する箇所に位置する凸部３１と、屋根材４の横方向の位置を示すマーク３２とが設けられる。以下、この特徴を有する下葺材３を第１の態様の下葺材３という。
【００５０】
第１の態様の下葺材３は、軒棟方向に隣接する屋根材４の間から、雨水が下葺材３に流れたとしても、この雨水は凸部３１で堰き止められて、固着具１０が打ち込まれた部分に至り難い。このため、下葺材３において固着具１０が打ち込まれた部分から雨水が浸入することが抑制される。また、屋根材４を施工するときには、マーク３２を確認することで、屋根材４を固着具用穴４０が凸部３１と重なる横方向の所定位置に容易に配置することができ、屋根材４の施工が容易になる。
【００５１】
また、本実施形態の下葺材３は、第１の態様の下葺材３が有する特徴に加えて、以下に示す付加的な特徴を有する。千鳥状に葺かれた複数の屋根材４の下葺材３であり、マーク３２は屋根材４の横方向の端の位置に設けられた突出部分である。以下、この下葺材３を第２の態様の下葺材３という。
【００５２】
第２の態様の下葺材３は、例えば、屋根材４の横方向の端部が踏まれて、当該屋根材４の軒側の屋根材４に下向きの力が加わったとき、この軒側の屋根材４を突出部分で構成されたマーク３２により支持することができる。このため、屋根材４の変形を抑制できる。
【００５３】
また、本実施形態の屋根構造１は、以下に示す特徴を有する。屋根構造１は、第１又は第２の態様の下葺材３と、下葺材３の上にマーク３２によって位置決めされて葺かれた複数の屋根材４とを備える。以下、この特徴を有する屋根構造１を第１の態様の屋根構造１という。
【００５４】
第１の態様の屋根構造１では、下葺材３における固着具１０が打ち込まれた部分から雨水が浸入することが抑制される。また、屋根材４を施工するときには、マーク３２を確認することで、屋根材４を固着具用穴４０が凸部３１と重なる横方向の所定位置に容易に配置することができ、屋根材４を容易に施工することができる。
【符号の説明】
【００５５】
１  屋根構造
３  下葺材
３１  凸部
３２  マーク
４  屋根材
４０  固着具用穴
【図１】
2019100041.tif 000003
【図２】
2019100041.tif 000004
【図３】
2019100041.tif 000005